【手続補正書】
【提出日】平成18年3月20日(2006.3.20)
【手続補正１】
【補正対象書類名】明細書
【補正対象項目名】特許請求の範囲
【補正方法】変更
【補正の内容】
【特許請求の範囲】
【請求項１】  狭帯域信号の合成に用いられるパラメータから広帯域信号を生成する情報処理装置において、
前記狭帯域信号の第１の適応信号から第２の適応信号を生成する第１の生成手段と、
前記狭帯域信号の第１の雑音信号から第２の雑音信号を生成する第２の生成手段と、
前記第１の生成手段により生成された前記第２の適応信号と、前記第２の生成手段により生成された前記第２の雑音信号とを合成し、前記広帯域信号の励振源を生成する第３の生成手段と
を備えることを特徴とする情報処理装置。
【請求項２】  前記第１の適応信号および前記第２の前記適応信号は、ピッチ成分を含む
ことを特徴とする請求項１に記載の情報処理装置。
【請求項３】  前記第１の生成手段は、前記第２の適応信号を、前記第1の適応信号を広帯域化して生成する
ことを特徴とする請求項１に記載の情報処理装置。
【請求項４】  前記第１の生成手段は、前記第２の適応信号を、前記第１の適応信号を補間して生成する
ことを特徴とする請求項１に記載の情報処理装置。
【請求項５】  前記第1の生成手段は、前記第２の適応信号を、前記第１の適応信号を補間し、さらに、前記第1の適応信号のピーク値となるサンプルデータの前後の１つ、または、複数のサンプルデータを抑圧して生成する
ことを特徴とする請求項３に記載の情報処理装置。
【請求項６】  前記第１の生成手段は、前記第２の適応信号を、前記第１の適応信号を補間し、さらに、前記第１の適応信号のサンプルデータまたはサンプルデータの絶対値について、所定の値以上のものを抑圧して生成する
ことを特徴とする請求項３に記載の情報処理装置。
【請求項７】  前記第２の生成手段は、前記第２の雑音信号を、前記第１の雑音信号を広帯域化して生成する
ことを特徴とする請求項１に記載の情報処理装置。
【請求項８】  前記第２の生成手段は、前記第２の雑音信号を、前記第1の雑音信号に、そこに含まれない成分を持つ雑音信号を付加して生成する
ことを特徴とする請求項７に記載の情報処理装置。
【請求項９】  前記第２の生成手段は、前記第2の雑音信号を、前記第1の雑音信号を広帯域化した前記第２の雑音信号に、そこに含まれない周波数帯域の成分を持つ雑音信号を付加して生成する
ことを特徴とする請求項８に記載の情報処理装置。
【請求項１０】  狭帯域信号の合成に用いられるパラメータから広帯域信号を生成する情報処理装置の情報処理方法において、
前記狭帯域信号の第１の適応信号から第２の適応信号を生成する第１の生成ステップと、
前記狭帯域信号の第１の雑音信号から第２の雑音信号を生成する第２の生成ステップと、
前記第１の生成ステップの処理で生成された第２の適応信号と、前記第２の生成ステップの処理で生成された前記第２の雑音信号とを合成し、前記広帯域信号の励振源を生成する第３の生成ステップと
を含むことを特徴とする情報処理方法。
【請求項１１】  狭帯域信号の合成に用いられるパラメータから広帯域信号を生成する場合のプログラムであって、
前記狭帯域信号の第１の適応信号から第２の適応信号を生成する第１の生成ステップと、
前記狭帯域信号の第１の雑音信号から第２の雑音信号を生成する第２の生成ステップと、
前記第１の生成ステップの処理で生成された第２の適応信号と、前記第２の生成ステップの処理で生成された前記第２の雑音信号とを合成し、前記広帯域信号の励振源を生成する第３の生成ステップと
を含むことを特徴とするコンピュータが読み取り可能なプログラムが記録されている記録媒体。
【請求項１２】  狭帯域信号の合成に用いられるパラメータから広帯域信号を生成する情報処理装置において、
前記狭帯域信号の第１の雑音信号から第２の雑音信号を生成する第１の生成手段と、
前記第１の生成手段により生成された前記第２の雑音信号から、前記広帯域信号の励振源を直接生成する第２の生成手段と
を備えることを特徴とする情報処理装置。
【請求項１３】  前記第１の生成手段は、前記第２の雑音信号を、前記第１の雑音信号に、そこに含まれない成分を持つ雑音信号を付加して生成する
ことを特徴とする請求項１２に記載の情報処理装置。
【請求項１４】  前記第１の生成手段は、前記第２の雑音信号を、前記第１の雑音信号を広帯域化した前記第２の雑音信号に、そこに含まれない周波数帯域の成分を持つ雑音信号を付加して生成する
ことを特徴とする請求項１３に記載の情報処理装置。
【請求項１５】  狭帯域信号の合成に用いられるパラメータから広帯域信号を生成する情報処理装置の情報処理方法において、
前記狭帯域信号の第１の雑音信号から第２の雑音信号を生成する第１の生成ステップと、
前記第１の生成ステップの処理で生成された前記第２の雑音信号から、前記広帯域信号の励振源を直接生成する第２の生成ステップと
を含むことを特徴とする情報処理方法。
【請求項１６】  狭帯域信号の合成に用いられるパラメータから広帯域信号を生成する場合のプログラムであって、
前記狭帯域信号の第１の雑音信号から第２の雑音信号を生成する第１の生成ステップと、
前記第１の生成ステップの処理で生成された前記第２の雑音信号から、前記広帯域信号の励振源を直接生成する第２の生成ステップと
を含むことを特徴とするコンピュータが読み取り可能なプログラムが記録されている記録媒体。
【請求項１７】  狭帯域信号を分析し、広帯域信号を生成する情報処理装置において、
前記狭帯域信号の分析結果から短期予測残差信号を抽出する第１の抽出手段と、
前記第１の抽出手段により抽出された前記短期予測残差信号から長期予測を実行し、第１の適応信号および第１の雑音信号を抽出する第２の抽出手段と、
前記第２の抽出手段により抽出された前記第１の適応信号から第２の適応信号を生成する第１の生成手段と、
前記第２の抽出手段により抽出された前記第１の雑音信号から第２の雑音信号を生成する第２の生成手段と、
前記第１の生成手段により生成された前記第２の適応信号と、前記第２の生成手段により生成された前記第２の雑音信号とを合成し、広帯域信号の励振源を生成する第３の生成手段と
を備えることを特徴とする情報処理装置。
【請求項１８】  狭帯域信号を分析し、広帯域信号を生成する情報処理装置の情報処理方法において、
前記狭帯域信号の分析結果から短期予測残差信号を抽出する第１の抽出ステップと、
前記第１の抽出ステップの処理で抽出された前記短期予測残差信号から長期予測を実行し、第１の適応信号および第１の雑音信号を抽出する第２の抽出ステップと、
前記第２の抽出ステップの処理で抽出された前記第1の適応信号から第２の適応信号を生成する第１の生成ステップと、
前記第２の抽出ステップの処理で抽出された前記第1の雑音信号から第２の雑音信号を生成する第２の生成ステップと、
前記第１の生成ステップの処理で生成された前記第２の適応信号と、前記第２の生成ステップの処理で生成された前記第２の雑音信号とを合成し、広帯域信号の励振源を生成する第３の生成ステップと
を含むことを特徴とする情報処理方法。
【請求項１９】  狭帯域信号を分析し、広帯域信号を生成する場合のプログラムであって、
前記狭帯域信号の分析結果から短期予測残差信号を抽出する第１の抽出ステップと、
前記第１の抽出ステップの処理で抽出された前記短期予測残差信号から長期予測を実行し、第1の適応信号および第１の雑音信号を抽出する第２の抽出ステップと、
前記第２の抽出ステップの処理で抽出された前記第１の適応信号から第２の適応信号を生成する第１の生成ステップと、
前記第２の抽出ステップの処理で抽出された前記第１の雑音信号から第２の雑音信号を生成する第２の生成ステップと、
前記第１の生成ステップの処理で生成された前記第２の適応信号と、前記第２の生成ステップの処理で生成された前記第２の雑音信号とを合成し、広帯域信号の励振源を生成する第３の生成ステップと
を含むことを特徴とするコンピュータが読み取り可能なプログラムが記録されている記録媒体。
【請求項２０】  狭帯域信号を分析し、広帯域信号を生成する情報処理装置において、
前記狭帯域信号の分析結果から短期予測残差信号を抽出する第1の抽出手段と、
前記第1の抽出手段により抽出された前記短期予測残差信号から長期予測を実行し、第1の雑音信号を抽出する第２の抽出手段と、
前記第２の抽出手段により抽出された前記第1の雑音信号から第２の雑音信号を生成する第１の生成手段と、
前記第1の生成手段により生成された前記第２の雑音信号から、広帯域信号の励振源を直接生成する第２の生成手段と
を備えることを特徴とする情報処理装置。
【請求項２１】  狭帯域信号を分析し、広帯域信号を生成する情報処理装置の情報処理方法において、
前記狭帯域信号の分析結果から短期予測残差信号を抽出する第1の抽出ステップと、
前記第1の抽出ステップの処理で抽出された前記短期予測残差信号から長期予測を実行し、第1の雑音信号を抽出する第２の抽出ステップと、
前記第２の抽出ステップの処理で抽出された前記第1の雑音信号から第２の雑音信号を生成する第１の生成ステップと、
前記第1の生成ステップの処理で生成された前記第２の雑音信号から広帯域信号の励振源を直接生成する第２の生成ステップと
を含むことを特徴とする情報処理方法。
【請求項２２】  狭帯域信号を分析し、広帯域信号を生成する場合のプログラムであって、
前記狭帯域信号の分析結果から短期予測残差信号を抽出する第1の抽出ステップと、
前記第1の抽出ステップの処理で抽出された前記短期予測残差信号から長期予測を実行し、第１の雑音信号を抽出する第２の抽出ステップと、
前記第２の抽出ステップの処理で抽出された前記第1の雑音信号から第２の雑音信号を生成する第１の生成ステップと、
前記第1の生成ステップの処理で生成された前記第２の雑音信号から広帯域信号の励振源を直接生成する第２の生成ステップと
を含むことを特徴とするコンピュータが読み取り可能なプログラムが記録されている記録媒体。
【手続補正２】
【補正対象書類名】明細書
【補正対象項目名】００３９
【補正方法】削除
【補正の内容】
【手続補正３】
【補正対象書類名】明細書
【補正対象項目名】００４０
【補正方法】削除
【補正の内容】
【手続補正４】
【補正対象書類名】明細書
【補正対象項目名】００４１
【補正方法】削除
【補正の内容】
【手続補正５】
【補正対象書類名】明細書
【補正対象項目名】００４２
【補正方法】削除
【補正の内容】
【手続補正６】
【補正対象書類名】明細書
【補正対象項目名】００４３
【補正方法】削除
【補正の内容】
【手続補正７】
【補正対象書類名】明細書
【補正対象項目名】００４４
【補正方法】削除
【補正の内容】
【手続補正８】
【補正対象書類名】明細書
【補正対象項目名】００４５
【補正方法】削除
【補正の内容】
【手続補正９】
【補正対象書類名】明細書
【補正対象項目名】００４６
【補正方法】削除
【補正の内容】
【手続補正１０】
【補正対象書類名】明細書
【補正対象項目名】００４７
【補正方法】変更
【補正の内容】
【００４７】
請求項１８に記載の情報処理方法は、狭帯域信号の分析結果から短期予測残差信号を抽出する第1の抽出ステップと、第1の抽出ステップの処理で抽出された短期予測残差信号から長期予測を実行し、第1の適応信号および第1の雑音信号を抽出する第2の抽出ステップと、第2の抽出ステップの処理で抽出された第1の適応信号から第2の適応信号を生成する第１の生成ステップと、第2の抽出ステップの処理で抽出された第1の雑音信号から第2の雑音信号を生成する第２の生成ステップと、第1の生成ステップの処理で生成された第2の適応信号と、第2の生成ステップの処理で生成された第2の雑音信号とを合成し、広帯域信号の励振源を生成する第３の生成ステップとを含むことを特徴とする。
【手続補正１１】
【補正対象書類名】明細書
【補正対象項目名】００４８
【補正方法】変更
【補正の内容】
【００４８】
請求項１９に記載の記録媒体のプログラムは、狭帯域信号の分析結果から短期予測残差信号を抽出する第1の抽出ステップと、第1の抽出ステップの処理で抽出された短期予測残差信号から長期予測を実行し、第1の適応信号および第1の雑音信号を抽出する第2の抽出ステップと、第2の抽出ステップの処理で抽出された第1の適応信号から第2の適応信号を生成する第１の生成ステップと、第2の抽出ステップの処理で抽出された第1の雑音信号から第2の雑音信号を生成する第２の生成ステップと、第1の生成ステップの処理で生成された第2の適応信号と、第2の生成ステップの処理で生成された第2の雑音信号とを合成し、広帯域信号の励振源を生成する第３の生成ステップとを含むことを特徴とする。
【手続補正１２】
【補正対象書類名】明細書
【補正対象項目名】００４９
【補正方法】変更
【補正の内容】
【００４９】
請求項２０に記載の情報処理装置は、狭帯域信号の分析結果から短期予測残差信号を抽出する第1の抽出手段と、第1の抽出手段により抽出された短期予測残差信号から長期予測を実行し、第1の雑音信号を抽出する第2の抽出手段と、第2の抽出手段により抽出された第1の雑音信号から第2の雑音信号を生成する第１の生成手段と、第1の生成手段により生成された第2の雑音信号から、広帯域信号の励振源を直接生成する第２の生成手段とを備えることを特徴とする。
【手続補正１３】
【補正対象書類名】明細書
【補正対象項目名】００５０
【補正方法】削除
【補正の内容】
【手続補正１４】
【補正対象書類名】明細書
【補正対象項目名】００５１
【補正方法】削除
【補正の内容】
【手続補正１５】
【補正対象書類名】明細書
【補正対象項目名】００５２
【補正方法】変更
【補正の内容】
【００５２】
請求項２１に記載の情報処理方法は、狭帯域信号の分析結果から短期予測残差信号を抽出する第1の抽出ステップと、第1の抽出ステップの処理で抽出された短期予測残差信号から長期予測を実行し、第1の雑音信号を抽出する第2の抽出ステップと、第2の抽出ステップの処理で抽出された第1の雑音信号から第2の雑音信号を生成する第１の生成ステップと、第1の生成ステップの処理で生成された第2の雑音信号から広帯域信号の励振源を直接生成する第２の生成ステップとを含むことを特徴とする。
【手続補正１６】
【補正対象書類名】明細書
【補正対象項目名】００５３
【補正方法】変更
【補正の内容】
【００５３】
請求項２２に記載の記録媒体のプログラムは、狭帯域信号の分析結果から短期予測残差信号を抽出する第1の抽出ステップと、第1の抽出ステップの処理で抽出された短期予測残差信号から長期予測を実行し、第1の雑音信号を抽出する第2の抽出ステップと、第2の抽出ステップの処理で抽出された第1の雑音信号から第2の雑音信号を生成する第１の生成ステップと、第1の生成ステップの処理で生成された第2の雑音信号から広帯域信号の励振源を直接生成する第２の生成ステップとを含むことを特徴とする。
【手続補正１７】
【補正対象書類名】明細書
【補正対象項目名】００５６
【補正方法】変更
【補正の内容】
【００５６】
請求項１７に記載の情報処理装置、請求項１８に記載の情報処理方法、および請求項１９に記載の記録媒体においては、狭帯域信号の分析結果から短期予測残差信号が抽出され、抽出された短期予測残差信号から長期予測が実行され、第1の適応信号および第１の雑音信号が抽出され、抽出された第1の適応信号から第2の適応信号が生成され、抽出された第1の雑音信号から第2の雑音信号が生成され、生成された第2の適応信号と、生成された第2の雑音信号とが合成され、広帯域信号の励振源が生成される。
【手続補正１８】
【補正対象書類名】明細書
【補正対象項目名】００５７
【補正方法】変更
【補正の内容】
【００５７】
請求項２０に記載の情報処理装置、請求項２１に記載の情報処理方法、および請求項２２に記載の記録媒体においては、狭帯域信号の分析結果から短期予測残差信号が抽出され、抽出された短期予測残差信号から長期予測が実行され、第1の雑音信号が抽出され、抽出された第1の雑音信号から第2の雑音信号が生成され、生成された第2の雑音信号から、広帯域信号の励振源が直接生成される。
【手続補正１９】
【補正対象書類名】明細書
【補正対象項目名】０１３４
【補正方法】変更
【補正の内容】
【０１３４】
請求項１７に記載の情報処理装置、請求項１８に記載の情報処理方法、および請求項１９に記載の記録媒体によれば、狭帯域信号の分析結果から短期予測残差信号を抽出し、抽出した短期予測残差信号から長期予測を実行し、第1の適応信号および第１の雑音信号を抽出し、抽出した第1の適応信号から第2の適応信号を生成し、抽出した第1の雑音信号から第2の雑音信号を生成し、生成した第2の適応信号と、生成した第2の雑音信号とを合成し、広帯域信号の励振源を生成するようにしたので、広帯域音声信号の励振源のギャップをなくし、広帯域音声信号の音声信号の音質を向上させることが可能となる。
【手続補正２０】
【補正対象書類名】明細書
【補正対象項目名】０１３５
【補正方法】変更
【補正の内容】
【０１３５】
請求項２０に記載の情報処理装置、請求項２１に記載の情報処理方法、および請求項２２に記載の記録媒体によれば、狭帯域信号の分析結果から短期予測残差信号を抽出し、抽出した短期予測残差信号から長期予測を実行し、第1の雑音信号を抽出し、抽出した第1の雑音信号から第2の雑音信号を生成し、生成した第2の雑音信号から、広帯域信号の励振源を直接生成するようにしたので、狭帯域音声信号を広帯域音声信号に変換するための装置構成および演算処理を簡素化することが可能となる。